(57)【特許請求の範囲】
【請求項１】
第１の回路基板の主実装面と第２の回路基板の主実装面とが同方向に向いた状態で両回路基板が接続される回路基板接続構造で、前記第１の回路基板の主実装面側に固定され且つ該第１の回路基板の厚み方向に突出するプラグコネクタと、前記第２の回路基板に固定され且つ前記プラグコネクタを受け入れるリセプタクルコネクタとを含む回路基板接続構造におけるコネクタであって、
前記プラグコネクタを前記リセプタクルコネクタに向けて前記第２の回路基板の厚み方向に移動させることにより、前記リセプタクルコネクタに前記プラグコネクタが受け入れられた受け入れ状態は、形成され、
前記受け入れ状態において、前記リセプタクルコネクタは、前記第２の回路基板と一体的に、前記プラグコネクタに対して前記第１の回路基板の面方向にスライド移動が可能に構成されると共に、スライド移動をしていない状態及びスライド移動時において、前記プラグコネクタとの電気的接続が維持され、且つ、前記第１の回路基板の厚み方向における前記プラグコネクタとの係合状態が維持可能に構成され、
前記プラグコネクタ及び前記リセプタクルコネクタは、金属素材から形成され、
前記リセプタクルコネクタは、前記スライド移動時において、前記第１の回路基板の厚み方向における前記リセプタクルコネクタと前記プラグコネクタとの位置関係を実質的に一定に維持可能に構成され、
前記リセプタクルコネクタは、前記プラグコネクタに対して、前記プラグコネクタに係合可能な係合可能位置と、該係合可能位置に隣接する係合解除位置であって前記プラグコネクタに対して前記第１の回路基板の主実装面から離れる方向の移動が許容されて前記プラグコネクタに対する係合を解除可能な係合解除位置と、の間をスライド移動が可能に構成される、
コネクタ。
【請求項２】
前記プラグコネクタは、第１押圧部を有し、
前記リセプタクルコネクタは、前記リセプタクルコネクタが前記係合解除位置に位置した状態において、前記第１押圧部を前記第１の回路基板の主実装面に向けて相対的に押圧可能な第２押圧部を有する
請求項１に記載のコネクタ。
【請求項３】
請求項１又は２に記載のコネクタとしてのプラグコネクタ。
【請求項４】
請求項１又は２に記載のコネクタとしてのリセプタクルコネクタ。
【請求項５】
請求項３に記載のプラグコネクタと請求項４に記載のリセプタクルコネクタとを含む回路基板接続構造。
【発明の詳細な説明】
【技術分野】
【０００１】
本発明は、基板対基板コネクタに用いられるコネクタ、及びそれにより接続される回路基板接続構造に関する。
【背景技術】
【０００２】
第１の回路基板の主実装面と第２の回路基板の主実装面とが同方向に向いた状態で両回路基板がその厚み方向に重なるように接続される回路基板接続構造が知られている（下記特許文献１参照）。このような回路基板接続構造においては、両回路基板を接続させるために、基板対基板コネクタが用いられる。基板対基板コネクタは、第１の回路基板に固定され且つ突出部分を有するプラグコネクタと、第２の回路基板に固定され且つプラグコネクタを受け入れるリセプタクルコネクタと、から構成される。プラグコネクタをリセプタクルコネクタに受け入れさせてプラグコネクタとリセプタクルコネクタとを係合させると、両コネクタを介して、両回路基板が接続される。
【先行技術文献】
【特許文献】
【０００３】
【特許文献１】特開２０１１−２３３４６３号公報
【発明の概要】
【発明が解決しようとする課題】
【０００４】
基板対基板コネクタにおいては、更なる機能性の向上及び構造の簡易化が要望されている。
【０００５】
従って、本発明は、第１の回路基板の主実装面と第２の回路基板の主実装面とが同方向に向いた状態で両回路基板が接続される回路基板接続構造における基板対基板コネクタにおいて、機能性の向上及び構造の簡易化を更に実現することができるコネクタ、並びに、それにより接続される回路基板接続構造を提供することを目的とする。
【課題を解決するための手段】
【０００６】
本発明は、第１の回路基板の主実装面と第２の回路基板の主実装面とが同方向に向いた状態で両回路基板が接続される回路基板接続構造で、前記第１の回路基板の主実装面側に固定され且つ該第１の回路基板の厚み方向に突出するプラグコネクタと、前記第２の回路基板に固定され且つ前記プラグコネクタを受け入れるリセプタクルコネクタとを含む回路基板接続構造におけるコネクタであって、前記リセプタクルコネクタに前記プラグコネクタが受け入れられた状態において、前記リセプタクルコネクタは、前記第２の回路基板と一体的に、前記プラグコネクタに対して前記第１の回路基板の面方向にスライド移動が可能に構成されると共に、スライド移動をしていない状態及びスライド移動時において、前記プラグコネクタとの電気的接続が維持され、且つ、前記第１の回路基板の厚み方向における前記プラグコネクタとの係合状態が維持可能に構成され、前記プラグコネクタ及び前記リセプタクルコネクタは、金属素材から形成されるコネクタに関する。
【０００７】
また、前記リセプタクルコネクタは、前記スライド移動時において、前記第１の回路基板の厚み方向における前記リセプタクルコネクタと前記プラグコネクタとの位置関係を実質的に一定に維持可能に構成されることが好ましい。
【０００８】
また、前記リセプタクルコネクタは、前記プラグコネクタに対して、前記プラグコネクタに係合可能な係合可能位置と、該係合可能位置に隣接する係合解除位置であって前記プラグコネクタに対して前記第１の回路基板の主実装面から離れる方向の移動が許容されて前記プラグコネクタに対する係合を解除可能な係合解除位置と、の間をスライド移動が可能に構成されることが好ましい。
【０００９】
また、前記プラグコネクタは、第１押圧部を有し、前記リセプタクルコネクタは、前記リセプタクルコネクタが前記係合解除位置に位置した状態において、前記第１押圧部を前記第１の回路基板の主実装面に向けて相対的に押圧可能な第２押圧部を有することが好ましい。
【００１０】
また、前記コネクタは、前記プラグコネクタであってもよく、又は、リセプタクルコネクタであってもよい。
【００１１】
また、本発明は、前記プラグコネクタと前記リセプタクルコネクタとを含む回路基板接続構造に関する。
【発明の効果】
【００１２】
本発明によれば、第１の回路基板の主実装面と第２の回路基板の主実装面とが同方向に向いた状態で両回路基板が接続される回路基板接続構造における基板対基板コネクタにおいて、機能性の向上及び構造の簡易化を更に実現することができるコネクタ、並びに、それにより接続される回路基板接続構造を提供することができる。
【図面の簡単な説明】
【００１３】
【図１】本発明の一実施形態の回路基板接続構造を構成するプラグコネクタ３０及びリセプタクルコネクタ６０を、分離した状態で示す斜視図である。
【図２】図１に示すプラグコネクタ３０とリセプタクルコネクタ６０とを係合させて第１の回路基板１０と第２の回路基板２０とを接続して回路基板接続構造１を形成した状態を示す斜視図である。
【図３】図２に示す回路基板接続構造１について、プラグコネクタ３０及びリセプタクルコネクタ６０を通るように横方向Ｄ３に切断した縦断面図である。
【図４】プラグコネクタ３０の斜視図である。
【図５】プラグコネクタ３０をスライド方向Ｄ４５に切断した縦断面図である。
【図６】リセプタクルコネクタ６０の斜視図である。
【図７】リセプタクルコネクタ６０をスライド方向Ｄ４５に切断した縦断面図である。
【図８】分離した状態のプラグコネクタ３０及びリセプタクルコネクタ６０を横方向Ｄ３に切断した縦断面図である（図１対応図）。
【図９】係合させた状態のプラグコネクタ３０及びリセプタクルコネクタ６０を横方向Ｄ３に切断した縦断面図である（図２、図３対応図）。
【図１０】係合させた状態のプラグコネクタ３０及びリセプタクルコネクタ６０をスライド方向Ｄ４５に切断した縦断面図である（図９に示すＡ−Ａ線断面図）。
【図１１】係合させた状態のプラグコネクタ３０及びリセプタクルコネクタ６０をスライド方向Ｄ４５に切断した横断面図である（図９に示すＢ−Ｂ線断面図）。
【図１２】図１０に示す状態から、プラグコネクタ３０に対してリセプタクルコネクタ６０を反係合解除方向Ｄ５にスライド移動させた状態を示す縦断面図である。
【図１３】図１１に示す状態から、プラグコネクタ３０に対してリセプタクルコネクタ６０を反係合解除方向Ｄ５にスライド移動させた状態を示す横断面図である。
【図１４】図１０に示す状態から、リセプタクルコネクタ６０を係合解除方向Ｄ４にスライド移動させた状態を示す縦断面図である。
【図１５】図１１に示す状態から、リセプタクルコネクタ６０を係合解除方向Ｄ４にスライド移動させた状態を示す横断面図である。
【図１６】プラグコネクタ３０とリセプタクルコネクタ６０との係合が解除した状態を示す縦断面図である。
【図１７】プラグコネクタ３０とリセプタクルコネクタ６０との係合が解除した状態を示す縦断面図である。
【図１８】第１変形例に係る分離した状態のプラグコネクタ３０Ａ及びリセプタクルコネクタ６０Ａを横方向Ｄ３に切断した縦断面図である。
【図１９】第２変形例に係るプラグコネクタ３０Ｂをスライド方向Ｄ４５に切断した縦断面図である。
【発明を実施するための形態】
【００１４】
以下に、本発明のプラグコネクタ及びリセプタクルコネクタを含む回路基板接続構造の一実施形態について、図面を参照しながら説明する。図１は、本発明の一実施形態の回路基板接続構造を構成するプラグコネクタ３０及びリセプタクルコネクタ６０を、分離した状態で示す斜視図である。図２は、図１に示すプラグコネクタ３０とリセプタクルコネクタ６０とを係合させて第１の回路基板１０と第２の回路基板２０とを接続して回路基板接続構造１を形成した状態を示す斜視図である。図３は、図２に示す回路基板接続構造１について、プラグコネクタ３０及びリセプタクルコネクタ６０を通るように横方向Ｄ３に切断した縦断面図である。
【００１５】
図１〜図３に示すように、本実施形態の回路基板接続構造１は、第１の回路基板１０の主実装面１１と第２の回路基板２０の主実装面２１とが同方向に向いた状態で、両回路基板１０，２０がその厚み方向Ｄ１２に重なるように接続される回路基板接続構造である。主実装面１１，２１は、一般的に回路基板の表面と呼ばれる面であり、片面のみに実装されるタイプの回路基板においては、実装面が該当し、両面に実装されるタイプの回路基板においては、主として実装される面が該当する。
【００１６】
第１の回路基板１０の主実装面１１側には、２個のプラグコネクタ３０が並んで固定されている。プラグコネクタ３０は、全体視で、第１の回路基板１０の厚み方向Ｄ１２に突出している。
第２の回路基板２０の主実装面２１側には、２個のリセプタクルコネクタ６０が並んで固定されている。リセプタクルコネクタ６０は、プラグコネクタ３０を受け入れるコネクタである。リセプタクルコネクタ６０は、第２の回路基板２０と一体的に、プラグコネクタ３０に対して第１の回路基板１０の面方向ＤＳにスライド移動が可能に構成される。換言すると、プラグコネクタ３０は、第１の回路基板１０と一体的に、リセプタクルコネクタ６０に対して第２の回路基板２０の面方向ＤＳにスライド移動が可能に構成される。
【００１７】
以下の説明において、リセプタクルコネクタ６０にプラグコネクタ３０が受け入れられた状態を「受け入れ状態」という。また、前記受け入れ状態において、リセプタクルコネクタ６０からプラグコネクタ３０に向かう方向を「第１方向Ｄ１」又は「接近方向Ｄ１」といい、第１方向Ｄ１とは反対向きの方向を「第２方向Ｄ２」又は「離間方向Ｄ２」という。第１方向Ｄ１及び第２方向Ｄ２を合わせて「厚み方向Ｄ１２」という。
【００１８】
プラグコネクタ３０に対してリセプタクルコネクタ６０がスライドする方向を「スライド方向Ｄ４５」という。スライド方向Ｄ４５のうち、リセプタクルコネクタ６０を係合解除位置（後述）に向けてスライド移動させる方向を「第４方向Ｄ４」又は「係合解除方向Ｄ４」といい、第４方向Ｄ４の反対方向を「第５方向Ｄ５」又は「反係合解除方向Ｄ５」という。第１の回路基板１０又は第２の回路基板２０が拡がる方向を「面方向ＤＳ」という。面方向ＤＳのうち、スライド方向Ｄ４５に直交する方向を「第３方向Ｄ３」又は「横方向Ｄ３」という。
【００１９】
第１の回路基板１０は、面方向ＤＳに拡がる主実装面１１及び裏面１２を有する。主実装面１１には、２個のプラグコネクタ３０の他、例えば、ＬＥＤ素子などの各種素子、各種実装部品（いずれも図示せず）が実装されている。
【００２０】
第２の回路基板２０は、面方向ＤＳに拡がる主実装面２１及び裏面２２を有すると共に、窓部２８を有する。主実装面２１には、２個のリセプタクルコネクタ６０の他、例えば、ＬＥＤ素子などの各種素子（図示せず）、各種実装部品２５が実装されている。窓部２８は、第２の回路基板２０の端部近傍が「コ」字状に切り欠かれて形成されている。窓部２８を介して、第１の回路基板１０の主実装面１１に固定されたプラグコネクタ３０を、第２の回路基板２０の主実装面２１に固定されたリセプタクルコネクタ６０の受け入れ空間６５（後述）に挿入させる（受け入れさせる）ことができる。
【００２１】
プラグコネクタ３０及びリセプタクルコネクタ６０について詳細に説明する。図４は、プラグコネクタ３０の斜視図である。図５は、プラグコネクタ３０をスライド方向Ｄ４５に切断した縦断面図である。図６は、リセプタクルコネクタ６０の斜視図である。図７は、リセプタクルコネクタ６０をスライド方向Ｄ４５に切断した縦断面図である。図８は、分離した状態のプラグコネクタ３０及びリセプタクルコネクタ６０を横方向Ｄ３に切断した縦断面図である（図１対応図）。図９は、係合させた状態のプラグコネクタ３０及びリセプタクルコネクタ６０を横方向Ｄ３に切断した縦断面図である（図２、図３対応図）。図１０は、係合させた状態のプラグコネクタ３０及びリセプタクルコネクタ６０をスライド方向Ｄ４５に切断した縦断面図である（図９に示すＡ−Ａ線断面図）。図１１は、係合させた状態のプラグコネクタ３０及びリセプタクルコネクタ６０をスライド方向Ｄ４５に切断した横断面図である（図９に示すＢ−Ｂ線断面図）。
【００２２】
プラグコネクタ３０及びリセプタクルコネクタ６０は、金属素材から形成されている。例えば、金属素材としての金属板に、打ち抜き加工、プレス成形加工などを施すことで、所定形状の金属一体物のコネクタを得ることができる。
【００２３】
図４，図５及び図８〜図１１に示すように、プラグコネクタ３０は、プラグ本体部４０と、第１押圧部５１と、第１アーム部５２とを備える。
プラグ本体部４０は、主としてプラグコネクタ３０の外形を形成する部位であり、底部４１と、脚部４２と、側壁部４３と、天部４４と、第１係合部４７とを備える。
【００２４】
底部４１は、プラグ本体部４０（プラグコネクタ３０）の下部を形成する。側壁部４３は、底部４１における横方向Ｄ３の外側それぞれに、一対設けられる。側壁部４３は、底部４１から離間方向Ｄ２に起立しており、スライド方向Ｄ４５にも拡がっている。
脚部４２は、側壁部４３の下部に設けられる。脚部４２は、第１の回路基板１０の接点部１３に、半田付け等により機械的に且つ電気的に接続される。
【００２５】
以下の説明において、横方向Ｄ３のうち、プラグコネクタ３０又はリセプタクルコネクタ６０を基準として、プラグコネクタ３０又はリセプタクルコネクタ６０から離れる方向を「横方向Ｄ３の外側」といい、プラグコネクタ３０又はリセプタクルコネクタ６０の内側に向かう方向を「横方向Ｄ３の内側」という。
【００２６】
天部４４は、一対の側壁部７３の上端部から横方向Ｄ３の内側それぞれに延びるように設けられる。一対の天部４４の先端部同士は近接しており、ほぼ一体的な天部が形成されている。
底部４１、側壁部４３及び天部４４は、図８に示すように、縦断面視において四角枠形状（「ロ」字状）を有する。
第１係合部４７は、一対の側壁部４３それぞれに設けられ、横方向Ｄ３の外側に突出している。第１係合部４７は、接近方向Ｄ１及び横方向Ｄ３の外側に向けて延びる舌片形状を有している。
【００２７】
第１押圧部５１は、天部４４に対して離間方向Ｄ２及び係合解除方向Ｄ４の位置に配されている。
第１アーム部５２は、底部４１における反係合解除方向Ｄ５側の端部と、第１押圧部５１における反係合解除方向Ｄ５側の端部とを連結する。第１押圧部５１が接近方向Ｄ１側に押圧されると、第１アーム部５２には（延いては、第１押圧部５１にも）、リセプタクルコネクタ６０を離間方向Ｄ２に押圧する方向の付勢力が発現する。
第１押圧部５１の上面（離間方向Ｄ２側の面）には、第１ストッパ部５５が突出して設けられている。
【００２８】
リセプタクルコネクタ６０について説明する。図６〜図１１に示すように、リセプタクルコネクタ６０は、リセプタクル本体部７０と、第２押圧部８１と、第２ストッパ部８５とを備える。
【００２９】
リセプタクル本体部７０は、主としてリセプタクルコネクタ６０の外形を形成する部位であり、天部７４と、脚部７２と、側壁部７３と、スライド孔部７６と、第２係合部７７と、係合解除部７８とを備える。
天部７４は、リセプタクル本体部７０（リセプタクルコネクタ６０）の上部を形成する。
【００３０】
側壁部７３は、天部７４における横方向Ｄ３の外側それぞれに、一対設けられる。側壁部７３は、天部７４から接近方向Ｄ１に垂下しており、スライド方向Ｄ４５にも拡がっている。
脚部７２は、側壁部７３の下部に設けられる。脚部７２は、第２の回路基板２０の接点部２３に、半田付け等により機械的に且つ電気的に接続される。
図８に示すように、リセプタクル本体部７０において天部７４と側壁部７３とによって囲まれる（形成される）空間は、プラグコネクタ３０を受け入れる受け入れ空間６５を形成する。
【００３１】
スライド孔部７６は、一対の側壁部７３それぞれに設けられ、スライド方向Ｄ４５に延びる長孔状に形成される。スライド孔部７６には、受け入れ状態においてプラグコネクタ３０の第１係合部４７が配置される。受け入れ状態において、第１係合部４７は、スライド孔部７６の内側をスライド方向Ｄ４５にスライド移動可能である。
【００３２】
第２係合部７７は、スライド孔部７６の下縁部における係合解除方向Ｄ４側の大部分（主として後述の係合解除部７８以外の部分）が横方向Ｄ３の内側に突出することで、形成される。
係合解除部７８は、スライド孔部７６の下縁部に、第２係合部７７に対して反係合解除方向Ｄ５側に隣接して設けられる。係合解除部７８は、側壁部７３における横方向Ｄ３の内側の部分が削がれる形で、側壁部７３の厚み（横方向Ｄ３の厚み）が薄くなることにより、形成される。
【００３３】
第２押圧部８１は、天部７４における切り抜かれた部分に設けられる。第２押圧部８１は、リセプタクルコネクタ６０が係合解除位置（図１６，図１７参照。後述）に位置した状態において、第１押圧部５１を第１の回路基板１０の主実装面１１に向けて（接近方向Ｄ１に向けて）相対的に押圧可能である。見方を変えると、第１押圧部５１は、プラグコネクタ３０が係合解除位置（図８，図１６，図１７参照。後述）に位置した状態において、第２押圧部８１を第２の回路基板２０から離れる方向に（離間方向Ｄ２に向けて）相対的に押圧可能である。
【００３４】
第２押圧部８１の上面（離間方向Ｄ２側の面）には、横方向Ｄ３に離間して２個の押し突起８３が突出して設けられている。
第２ストッパ部８５は、天部７４における第２押圧部８１よりも反係合解除方向Ｄ５側の位置に、設けられている。第２ストッパ部８５は、接近方向Ｄ１に且つ係合解除方向Ｄ４に向けて延びる舌片形状を有する。
【００３５】
リセプタクルコネクタ６０は、スライド移動時において、厚み方向Ｄ１２におけるリセプタクルコネクタ６０とプラグコネクタ３０との位置関係を実質的に一定に維持可能に構成される。それを実現する構成について以下に詳述する。
【００３６】
図１〜図３及び図８〜図１１に示すように、プラグコネクタ３０とリセプタクルコネクタ６０とは、以下に説明するように組み合わされ、回路基板接続構造１が形成される。
図１及び図８に示すように、リセプタクルコネクタ６０の受け入れ空間６５とプラグコネクタ３０の第１押圧部５１とを対向させる（換言すると、第１の回路基板１０の裏面１２と第２の回路基板２０の主実装面２１とを対向させる）。リセプタクルコネクタ６０とプラグコネクタ３０とを厚み方向Ｄ１２に相対的に接近させる。その過程において、プラグコネクタ３０の第１係合部４７は、リセプタクルコネクタ６０の第２係合部７７に接触して、横方向Ｄ３の内側に撓む。
【００３７】
図９〜図１１に示すように、第１係合部４７が第２係合部７７よりも上方に（離間方向Ｄ２側に）配置されると、第１係合部４７の撓みが解消され、第１係合部４７は、横方向Ｄ３の外側に向けて拡がる形状に復元する。また、第１押圧部５１は、第２押圧部８１及び第２押圧部８１に対して横方向Ｄ３の外側に位置する天部７４を押圧する状態となる。そして、第１押圧部５１に接続された第１アーム部５２は、接近方向Ｄ１に撓み、この撓みに起因する付勢力により、第１係合部４７は、下方に（接近方向Ｄ１に）押圧され、第２係合部７７の上縁部に当接し、係合する。
【００３８】
その結果、受け入れ状態において、プラグコネクタ３０は、接近方向Ｄ１及び離間方向Ｄ２のいずれにも移動が規制された状態となる。これにより、厚み方向Ｄ１２におけるリセプタクルコネクタ６０とプラグコネクタ３０との位置関係は、実質的に一定に維持される。
なお、両コネクタ３０，６０の位置関係が実質的に一定であると、第１アーム部５２及び第２押圧部８１の変位量、延いては、両コネクタ３０，６０の間に発現する付勢力がほぼ一定となる。
【００３９】
また、第１押圧部５１が第２押圧部８１を押圧する状態が維持されるため、受け入れ状態において、リセプタクルコネクタ６０は、スライド移動をしていない状態及びスライド移動時において、プラグコネクタ３０との電気的接続が維持され、且つ、厚み方向Ｄ１２におけるプラグコネクタ３０との係合状態が維持される。
【００４０】
プラグコネクタ３０に対してリセプタクルコネクタ６０をスライド方向Ｄ４５にスライド移動させた場合に、リセプタクルコネクタ６０が係合可能位置又は係合解除位置に移動する過程について、説明する。
【００４１】
図１２は、図１０に示す状態から、プラグコネクタ３０に対してリセプタクルコネクタ６０を反係合解除方向Ｄ５にスライド移動させた状態を示す縦断面図である。図１３は、図１１に示す状態から、プラグコネクタ３０に対してリセプタクルコネクタ６０を反係合解除方向Ｄ５にスライド移動させた状態を示す横断面図である。図１４は、図１０に示す状態から、リセプタクルコネクタ６０を係合解除方向Ｄ４にスライド移動させた状態を示す縦断面図である。図１５は、図１１に示す状態から、リセプタクルコネクタ６０を係合解除方向Ｄ４にスライド移動させた状態を示す横断面図である。図１６は、プラグコネクタ３０とリセプタクルコネクタ６０との係合が解除した状態を示す縦断面図である。図１７は、プラグコネクタ３０とリセプタクルコネクタ６０との係合が解除した状態を示す縦断面図である。
【００４２】
リセプタクルコネクタ６０は、プラグコネクタ３０に対して、プラグコネクタ３０に係合可能な係合可能位置（図９〜図１５に示す位置）と、係合可能位置に隣接する係合解除位置（図８，図１６，図１７に示す位置）との間を、スライド移動が可能に構成される。係合解除位置は、リセプタクルコネクタ６０がプラグコネクタ３０に対して第１の回路基板１０の主実装面１１から離れる方向（離間方向Ｄ２）へ移動することが許容されて、プラグコネクタ３０に対する係合を解除可能な位置である。
【００４３】
図９〜図１１に示すように、プラグコネクタ３０に対してリセプタクルコネクタ６０を離間方向Ｄ２に移動させようとしても、第１係合部４７が第２係合部７７に係合するため、リセプタクルコネクタ６０は、離間方向Ｄ２に移動することができない。換言すると、プラグコネクタ３０は、リセプタクルコネクタ６０の受け入れ空間６５から接近方向Ｄ１に抜け出ることができない。
【００４４】
一方、リセプタクルコネクタ６０は、プラグコネクタ３０に対してスライド方向Ｄ４５（係合解除方向Ｄ４又は反係合解除方向Ｄ５）には、スライド移動させることができる。
具体的には、図１０及び図１１に示す位置から、図１２及び図１３に示すように、リセプタクルコネクタ６０を反係合解除方向Ｄ５に移動させることができる。第２係合部７７は反係合解除方向Ｄ５に延びるように設けられているため、リセプタクルコネクタ６０を反係合解除方向Ｄ５に移動させても、受け入れ状態（プラグコネクタ３０とリセプタクルコネクタ６０との係合状態）は維持される。
【００４５】
また、図１０及び図１１に示す位置から、図１４及び図１５に示すように、リセプタクルコネクタ６０を係合解除方向Ｄ４に移動させることもできる。第２係合部７７は、係合解除方向Ｄ４に延びるように設けられているため、リセプタクルコネクタ６０を係合解除方向Ｄ４に移動させても、受け入れ状態（プラグコネクタ３０とリセプタクルコネクタ６０との係合状態）は維持される。
【００４６】
しかし、第２係合部７７は、スライド孔部７６の下縁部における反係合解除方向Ｄ５側の部分には設けられておらず、その部分には、係合解除部７８が設けられている。そのため、図１４及び図１５に示す位置から、図８，図１６及び図１７に示すように、リセプタクルコネクタ６０を係合解除方向Ｄ４に更に移動させると、第１係合部４７は、係合解除部７８の上方の位置（この位置を「係合解除位置」ともいう）に（離間方向Ｄ２側に）配置される。
【００４７】
なお、リセプタクルコネクタ６０を係合可能位置から係合解除位置に向けてスライド移動させる過程において、リセプタクルコネクタ６０が係合解除位置に配置される前に、図１４に示すように、プラグコネクタ３０の第１ストッパ部５５とリセプタクルコネクタ６０の第２ストッパ部８５とが当接する。そのため、意図せず、リセプタクルコネクタ６０が係合解除位置に配置されることが抑制される。
【００４８】
図１６及び図１７に示す係合解除位置では、第１係合部４７は、第２係合部７７に係合しない。一方、第１押圧部５１（第１アーム部５２）と第２押圧部８１との間の付勢力により、リセプタクルコネクタ６０は、上方に（離間方向Ｄ２に）押圧されている。そのため、リセプタクルコネクタ６０が係合解除位置に配置されると、リセプタクルコネクタ６０は、プラグコネクタ３０から離れる方向に（離間方向Ｄ２に）移動する。換言すると、プラグコネクタ３０は、リセプタクルコネクタ６０の受け入れ空間６５から接近方向Ｄ１に抜け出る。
【００４９】
以上の説明の通り、本実施形態の回路基板接続構造１（プラグコネクタ３０，リセプタクルコネクタ６０）においては、受け入れ状態において、リセプタクルコネクタ６０は、第２の回路基板２０と一体的に、プラグコネクタ３０に対して面方向ＤＳにスライド移動が可能に構成される。また、リセプタクルコネクタ６０は、スライド移動をしていない状態及びスライド移動時において、プラグコネクタ３０との電気的接続が維持され、且つ、厚み方向Ｄ１２におけるプラグコネクタ３０との係合状態が維持可能に構成される。
【００５０】
以上の構成を有する本実施形態によれば、例えば、以下の効果が奏される。
本実施形態においては、リセプタクルコネクタ６０にプラグコネクタ３０が受け入れられた状態において、リセプタクルコネクタ６０は、第２の回路基板２０と一体的に、プラグコネクタ３０に対して第１の回路基板１０の面方向ＤＳにスライド移動が可能に構成されると共に、スライド移動をしていない状態及びスライド移動時において、プラグコネクタ３０との電気的接続が維持され、且つ、厚み方向Ｄ１２におけるプラグコネクタ３０との係合状態が維持可能に構成されている。
【００５１】
そのため、第１の回路基板１０及び第２の回路基板２０を被固定物（ＴＶ筐体など）に固定した場合に、プラグコネクタ３０とリセプタクルコネクタ６０とを相対的にスライド移動させることができ、プラグコネクタ３０とリセプタクルコネクタ６０との相対的位置を調整することができる。また、スライド移動をしていない状態及びスライド移動時において、リセプタクルコネクタ６０とプラグコネクタ３０との電気的接続が維持され、且つ、厚み方向Ｄ１２におけるリセプタクルコネクタ６０とプラグコネクタ３０との係合状態が維持されるため、電気的性能（通電）及び機械的性能（固定）を発揮することができる。
また、プラグコネクタ３０及びリセプタクルコネクタ６０は、金属素材から形成されるため、その加工が容易であり、その部品コストを低減することができる。
【００５２】
また、リセプタクルコネクタ６０は、スライド移動時において、厚み方向Ｄ１２におけるリセプタクルコネクタ６０とプラグコネクタ３０との位置関係を実質的に一定に維持可能に構成される。そのため、リセプタクルコネクタ６０とプラグコネクタ３０との間の押圧力は、ほぼ一定となる。その結果、リセプタクルコネクタ６０とプラグコネクタ３０との間のスライド抵抗（摺動抵抗）が、ほぼ一定となる。従って、プラグコネクタ３０とリセプタクルコネクタ６０との相対的位置を調整する際に、作業性を均一化することができる。
【００５３】
また、リセプタクルコネクタ６０は、プラグコネクタ３０に対して、プラグコネクタ３０に係合可能な係合可能位置と、該係合可能位置に隣接する係合解除位置であってプラグコネクタ３０に対して第１の回路基板１０の主実装面１１から離れる方向Ｄ２の移動が許容されてプラグコネクタ３０に対する係合を解除可能な係合解除位置と、の間をスライド移動が可能に構成される。そのため、リセプタクルコネクタ６０が係合可能位置に位置する場合には、リセプタクルコネクタ６０とプラグコネクタ３０との電気的接続及び機械的接続が維持される。一方、リセプタクルコネクタ６０を係合解除位置にスライド移動させることで、初めて、リセプタクルコネクタ６０とプラグコネクタ３０との係合を解除することができる。従って、意図したとき（係合解除操作をしたとき）のみ係合を解除できる構成の実現が容易である。
【００５４】
また、プラグコネクタ３０は、第１押圧部５１を有し、リセプタクルコネクタ６０は、リセプタクルコネクタ６０が係合解除位置に位置した状態において、第１押圧部５１を第１の回路基板１０の主実装面１１に向けて相対的に押圧可能な第２押圧部８１を有する。そのため、リセプタクルコネクタ６０を係合解除位置に位置させたときに、リセプタクルコネクタ６０とプラグコネクタ３０と互いに離間させる方向に押圧力が発生する。そのため、リセプタクルコネクタ６０を係合解除位置に配置しただけで、両コネクタ３０，６０の係合が解除される構成を実現することができる。
【００５５】
以上、本発明の実施形態について説明したが、本発明は、前述した実施形態に制限されるものではなく、適宜変更が可能である。
【００５６】
例えば、前記実施形態においては、プラグコネクタ３０の第１係合部４７は、横方向Ｄ３の外側に突出するように形成され、リセプタクルコネクタ６０の第２係合部７７は、スライド孔部７６の下縁部から形成されているが、これに制限されない。図１８は、第１変形例に係る分離した状態のプラグコネクタ３０Ａ及びリセプタクルコネクタ６０Ａを横方向Ｄ３に切断した縦断面図である。図１８に示すように、リセプタクルコネクタ６０Ａの第２係合部７７Ａは、横方向Ｄ３の内側に（受け入れ空間６５に向けて）突出するように形成され、プラグコネクタ３０Ａの第１係合部４７Ａは、スライド孔部４６Ａの上縁部から形成されていてもよい。なお、図１８に示す第１変形例においては、プラグコネクタ３０Ａのプラグ本体部４０Ａに、前記実施形態における係合解除部７８に相当する部位（図示せず）が設けられている。
【００５７】
また、図１９に示すように、プラグコネクタ３０Ｂの第１押圧部５１に、更に垂下部５３を連結することができる。図１９は、第２変形例に係るプラグコネクタ３０Ｂをスライド方向Ｄ４５に切断した縦断面図である。横方向Ｄ３において、垂下部５３は、一対の側壁部４３に挟まれている。そのため、第１アーム部５２に過大な力が加わり、第１アーム部５２が横方向Ｄ３に変形しそうになった場合においても、第１アーム部５２が側壁部４３に当たるため、第１アーム部５２の変形を抑制することができる。
【００５８】
また、前記実施形態においては、プラグコネクタ３０が係合解除位置に配置されると、第１アーム部５２及び／又は第２押圧部８１の付勢力により、プラグコネクタ３０とリセプタクルコネクタ６０との係合が解除されるが、これに制限されない。例えば、第１アーム部５２（第１押圧部５１）及び／又は第２押圧部８１の付勢力が弱い場合、リセプタクルコネクタ６０が係合解除位置（図１６，図１７に示す位置）に配置されただけでは、プラグコネクタ３０とリセプタクルコネクタ６０との係合は解除されない。その場合、作業者などが、押し突起８３を介して第１押圧部５１を接近方向Ｄ１に押圧することで、第１アーム部５２を介してプラグ本体部４０が接近方向Ｄ１に押圧される。これにより、プラグコネクタ３０とリセプタクルコネクタ６０との係合を強制的に解除することができる。
【００５９】
前記実施形態の回路基板接続構造１は、第１の回路基板１０の主実装面１１と第２の回路基板２０の主実装面２１とが同方向に向いた状態で、両回路基板１０，２０がその厚み方向Ｄ１２に重なるように接続されているが、これに制限されない。両回路基板１０，２０は、その厚み方向Ｄ１２に重ならずに、面方向ＤＳに並列した状態で、接続されていてもよい。
【００６０】
前記実施形態においては、第２の回路基板２０の窓部２８は、第２の回路基板２０の端部近傍が「コ」字状に切り欠かれて形成されているが、これに制限されない。窓部２８は、窓部２８を介して、第１の回路基板１０の主実装面１１に固定されたプラグコネクタ３０を、第２の回路基板２０に固定されたリセプタクルコネクタ６０に挿入させる（受け入れさせる）ことができれば、第２の回路基板２０を貫通する穴、すなわち、閉じた周囲形状を有する穴から形成されていてもよい。
【符号の説明】
【００６１】
１  回路基板接続構造
１０  第１の回路基板
１１  主実装面
１２  裏面
１３  接点部
２０  第２の回路基板
２１  主実装面
２２  裏面
２３  接点部
２８  窓部
３０，３０Ａ，３０Ｂ  プラグコネクタ
４０，４０Ａ  プラグ本体部
４１  底部
４２  脚部
４３  側壁部
４４  天部
４６Ａ  スライド孔部
４７，４７Ａ  第１係合部
５１  第１押圧部
５２  第１アーム部
５３  垂下部
５５  第１ストッパ部
６０，６０Ａ  リセプタクルコネクタ
６５  受け入れ空間
７０，７０Ａ  リセプタクル本体部
７２  脚部
７３  側壁部
７４  天部
７６  スライド孔部
７７，７７Ａ  第２係合部
７８  係合解除部
８１  第２押圧部
８３  押し突起
８５  第２ストッパ部
Ｄ１  接近方向（第１方向）
Ｄ２  離間方向（第２方向）
Ｄ３  横方向（第３方向）
Ｄ４  係合解除方向（第４方向）
Ｄ５  反係合解除方向（第５方向）
Ｄ１２  厚み方向
Ｄ４５  スライド方向
ＤＳ  面方向
【図１】
0005868700.tif 000002
【図２】
0005868700.tif 000003
【図３】
0005868700.tif 000004
【図４】
0005868700.tif 000005
【図５】
0005868700.tif 000006
【図６】
0005868700.tif 000007
【図７】
0005868700.tif 000008
【図８】
0005868700.tif 000009
【図９】
0005868700.tif 000010
【図１０】
0005868700.tif 000011
【図１１】
0005868700.tif 000012
【図１２】
0005868700.tif 000013
【図１３】
0005868700.tif 000014
【図１４】
0005868700.tif 000015
【図１５】
0005868700.tif 000016
【図１６】
0005868700.tif 000017
【図１７】
0005868700.tif 000018
【図１８】
0005868700.tif 000019
【図１９】
0005868700.tif 000020